Podtech/llm-jp-corpus-v4-ja_patent huggingface dataset:
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
複数の面にそれぞれ成形部が形成された第一部と、
前記複数の面のうちの一つの面と当接してキャビティを形成する第二部と、
前記複数の面のうち、前記一つの面とは別の面と当接可能な第三部と、
前記第二部に固定され、前記第一部および前記第三部を貫通する複数のガイドと、
を備えることを特徴とする金型。
【請求項２】
前記第二部は、射出成形機の固定盤に固定可能である、
ことを特徴とする請求項１に記載の金型。
【請求項３】
前記第三部は、射出成形機の可動盤に固定可能である、
ことを特徴とする請求項１に記載の金型。
【請求項４】
前記第一部および前記第三部は、前記射出成形機に備えられている駆動系により位置決め可能である、
ことを特徴とする請求項２または３に記載の金型。
【請求項５】
前記第一部は、回転部と枠部を有し、前記ガイドは、前記枠部を貫通している、
ことを特徴とする請求項１乃至４のいずれか１項に記載の金型。
【請求項６】
前記枠部に取り付けられた駆動手段を備え、前記駆動手段は、前記キャビティによって成形された部品を取り出す手段を駆動する、
ことを特徴とする請求項５に記載の金型。
【請求項７】
前記枠部に取り付けられたスライド部を備え、前記スライド部は移動可能であり、前記移動により前記回転部に当接させることによって前記キャビティの一部を形成する、
ことを特徴とする請求項５または６に記載の金型。
【請求項８】
前記枠部に取り付けられた射出ユニットを備える、
こと特徴とする請求項５乃至７のいずれか１項に記載の金型。
【請求項９】
前記射出ユニットは、前記キャビティによって成形された成形部材の一部に樹脂を射出する、
ことを特徴とする請求項８に記載の金型。
【請求項１０】
前記成形部は、第一の成形部と第二の成形部を有し、前記第一の成形部および前記第二の成形部の少なくとも一方は移動可能である、
ことを特徴とする請求項１乃至９のいずれか１項に記載の金型。
【請求項１１】
前記枠部に取り付けられた第一の成形部および第二の成形部の少なくとも一方を移動させる移動手段を備える、
ことを特徴とする請求項５に記載の金型。
【請求項１２】
駒部の移動により、前記第一の成形部と前記第二の成形部とを対向させる、
ことを特徴とする請求項１１に記載の金型。
【請求項１３】
複数の面にそれぞれ成形部が形成された第一部と、
前記複数の面のうちの一つの面と当接してキャビティを形成する第二部と、
型締めにより、前記複数の面のうち、前記一つの面とは別の面と当接する第三部と、
前記第二部に固定され、前記第一部および前記第三部を貫通する複数のガイドと、を備える金型を用い、
前記ガイドに沿って前記第一部および前記第三部を移動させて前記第一部の一つの面と前記第二部とを当接させ、前記第三部と前記第一部の前記一つの面とは別の面とを当接させることで型締めし、複数の成形部材を製造する、
ことを特徴とする物品の製造方法。
【請求項１４】
前記第一部は、回転部を有し、前記回転部の回転により、前記複数の成形部材の中の１つを保持した前記一つの面と前記第三部とを当接させる、
ことを特徴とする請求項１３に記載の物品の製造方法。
【請求項１５】
前記複数の成形部材の中の1つを保持した前記一つの面と前記第三部とを当接させることで、前記複数の成形部材を接合する、
ことを特徴とする請求項１４記載の物品の製造方法。
【請求項１６】
前記接合は、嵌合部を嵌合させることで行なう、
ことを特徴とする請求項１５に記載の物品の製造方法。
【請求項１７】
前記接合は、前記複数の成形部材との間に樹脂を流し込むことにより行なう、
ことを特徴とする請求項１５に記載の物品の製造方法。
【請求項１８】
請求項１乃至１２のいずれか１項に記載の金型を用いて物品を製造する工程と、
前記物品を画像形成装置の装着部に装着する工程と、を有する、
ことを特徴とする画像形成装置の製造方法。
【請求項１９】
請求項１３乃至１７のいずれか１項に記載の製造方法を、前記金型を制御する制御装置に実行させるための制御プログラム。
【請求項２０】
請求項１９に記載の制御プログラムを格納したコンピュータ読み取り可能な記録媒体。
【手続補正２】
【補正対象書類名】明細書
【補正対象項目名】発明の名称
【補正方法】変更
【補正の内容】
【発明の名称】金型、物品の製造方法、画像形成装置の製造方法、制御プログラム、記録媒体
【手続補正３】
【補正対象書類名】明細書
【補正対象項目名】０００７
【補正方法】変更
【補正の内容】
【０００７】
本発明の一態様は、複数の面にそれぞれ成形部が形成された第一部と、前記複数の面のうちの一つの面と当接してキャビティを形成する第二部と、前記複数の面のうち、前記一つの面とは別の面と当接可能な第三部と、前記第二部に固定され、前記第一部および前記第三部を貫通する複数のガイドと、を備えることを特徴とする金型である。
また、本発明の別の一態様は、複数の面にそれぞれ成形部が形成された第一部と、前記複数の面のうちの一つの面と当接してキャビティを形成する第二部と、型締めにより、前記複数の面のうち、前記一つの面とは別の面と当接する第三部と、前記第二部に固定され、前記第一部および前記第三部を貫通する複数のガイドと、を備える金型を用い、前記ガイドに沿って前記第一部および前記第三部を移動させて前記第一部の一つの面と前記第二部とを当接させ、前記第三部と前記第一部の前記一つの面とは別の面とを当接させることで型締めし、複数の成形部材を製造する、ことを特徴とする物品の製造方法である。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
車両（Ｓ）が備えるヘッドアップディスプレイ（１７）の表示を制御する表示制御装置（１９）であって、
前記車両が赤信号の手前に位置し、前記車両の車速が予め設定された閾値以下である特定状態であるか否かを判断するように構成された特定状態判断ユニット（３７）と、
前記特定状態判断ユニットが前記特定状態であると判断した場合、前記ヘッドアップディスプレイを用いて、前記車両のドライバ（３１）に対し前方に注目することを促す注目表示（６７、６９、７１、７３、７５、７７）を行う注目表示ユニット（３９）と、
前記車両の将来の進行方向を取得するように構成された進行方向取得ユニット（４３）と、
を備え、
前記注目表示ユニットが前記注目表示を終了するときの態様は、前記進行方向取得ユニットが取得した前記進行方向に応じて異なる表示制御装置。
【請求項２】
車両（Ｓ）が備えるヘッドアップディスプレイ（１７）の表示を制御する表示制御装置（１９）であって、
前記車両が赤信号の手前に位置し、前記車両の車速が予め設定された閾値以下である特定状態であるか否かを判断するように構成された特定状態判断ユニット（３７）と、
前記特定状態判断ユニットが前記特定状態であると判断した場合、前記ヘッドアップディスプレイを用いて、前記車両のドライバ（３１）に対し前方に注目することを促す注目表示（６７、６９、７１、７３、７５、７７）を行う注目表示ユニット（３９）と、
前記注目表示の表示内容を表す注目表示情報を取得するように構成された情報取得ユニット（４５）と、
前記情報取得ユニットが取得した前記注目表示情報の中から、予め設定された基準に基づき、前記注目表示情報を選択するように構成された選択ユニット（４７）と、
を備え、
前記注目表示ユニットは、前記選択ユニットにより選択された前記注目表示情報を用いて前記注目表示を行うように構成された表示制御装置。
【請求項３】
請求項１又は２に記載の表示制御装置であって、
前記特定状態のとき、赤信号から青信号に変わるまでの待ち時間を取得するように構成された待ち時間取得ユニット（４１）をさらに備え、
前記注目表示ユニットは、前記待ち時間取得ユニットが取得した前記待ち時間が予め設定された閾値以下となったとき、前記注目表示を終了する表示制御装置。
【請求項４】
請求項１〜３のいずれか１項に記載の表示制御装置であって、
前記特定状態且つ前記車両の前に前車が存在する状態の後、赤信号が青信号に変わり、前記前車が発進し、前記車両の運転操作がなされてない状態が前記前車の発進時刻から所定時間以上継続している場合、前記ヘッドアップディスプレイを用いて、前記前車を強調する表示を行う前車表示ユニット（４９）をさらに備える表示制御装置。
【請求項５】
請求項１〜４のいずれか１項に記載の表示制御装置であって、
前記特定状態且つ前記車両の前に前車が存在しない状態の後、赤信号が青信号に変わり、前記車両の運転操作がなされてない状態が、赤信号が青信号に変わった時刻から所定時間以上継続している場合、前記ヘッドアップディスプレイを用いて、信号機の状態を表す表示を行う信号表示ユニット（５１）をさらに備える表示制御装置。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
車両の空調を行う車両用空調システムであって、
前記車両のインストルメントパネル（５５）に配置された吹出口（１００）から前記車両の前席空間（ＦＳ）と後席空間（ＲＳ）を有する車室内に温度調整された空調風を送風する空調装置（１０）と、
前記車両の天井に配置され、該天井に配置された吸込口（２００）から吸い込んだ前記空調風を前記車室内の少なくとも前記後席空間に送風する天井送風装置（２０）と、
前記車両の前記後席空間の温度状態および前記車両の座席状態の少なくとも一方の状態を収集する状態収集部（Ｓ１０２、Ｓ１１０、Ｓ２０２、Ｓ２１０）と、
前記状態収集部により収集された前記状態に応じて前記空調装置を制御することにより前記吹出口から送風され前記天井送風装置の吸込口に到達する前記空調風の温度および風量の少なくとも一方を調整する空調制御部（Ｓ１０６、Ｓ１１４、Ｓ２０６、Ｓ２１４）と、を備え、
前記吹出口は、前記車両の前記前席空間に向けて前記空調風を送風するフェイス吹出口（１００）であり、
前記フェイス吹出口には、前記空調風の送風方向を変更する風向調整板（１１０）が設けられており、
前記風向調整板により前記フェイス吹出口から吹出される前記空調風の吹出し方向が前記天井送風装置の前記吸込口へ向いている、車両用空調システム。
【請求項２】
前記状態収集部は、前記車両の前記後席空間の温度状態として前記後席空間の空気の温度を収集する請求項１に記載の車両用空調システム。
【請求項３】
前記状態収集部は、前記車両の前記後席空間の温度状態として前記後席空間に配置された内装部品の表面温度および前記車両の座席に着座している乗員の表面温度の少なくとも１つの表面温度を収集する請求項１または２に記載の車両用空調システム。
【請求項４】
前記吹出口は、前記車両の車幅方向の中央に配置されている請求項１ないし３のいずれか１つに記載の車両用空調システム。
【請求項５】
前記天井送風装置の前記吸込口は、前記車両の車幅方向の中央に配置されている請求項１ないし４のいずれか１つに記載の車両用空調システム。
【請求項６】
前記状態収集部は、前記車両の座席状態として、前記車両の座席の前後方向の位置、前記車両の座席の背もたれの角度、前記車両の座席の向きおよび前記車両の座席の乗員の有無の少なくとも１つを収集する請求項１ないし５のいずれか１つに記載の車両用空調システム。
【請求項７】
前記空調制御部は、前記状態収集部により収集された前記車両の座席の前後方向の位置、前記車両の座席の背もたれの角度、前記車両の座席の向きおよび前記車両の座席の乗員の有無の少なくとも１つに応じて前記天井送風装置から送風される前記空調風の向きを調整する請求項６に記載の車両用空調システム。
【手続補正２】
【補正対象書類名】明細書
【補正対象項目名】０００７
【補正方法】変更
【補正の内容】
【０００７】
上記目的を達成するため、請求項１に記載の発明は、車両の空調を行う車両用空調システムであって、車両のインストルメントパネル（５５）に配置された吹出口（１００）から車両の前席空間（ＦＳ）と後席空間（ＲＳ）を有する車室内に温度調整された空調風を送風する空調装置（１０）と、車両の天井に配置され、該天井に配置された吸込口（２００）から吸い込んだ空調風を車室内の少なくとも後席空間に送風する天井送風装置（２０）と、車両の後席空間の温度状態および車両の座席状態の少なくとも一方の状態を収集する状態収集部（Ｓ１０２、Ｓ１１０、Ｓ２０２、Ｓ２１０）と、状態収集部により収集された状態に応じて空調装置を制御することにより吹出口から送風され天井送風装置の吸込口に到達する空調風の温度および風量の少なくとも一方を調整する空調制御部（Ｓ１０６、Ｓ１１４、Ｓ２０６、Ｓ２１４）と、を備え、吹出口は、車両の前席空間に向けて空調風を送風するフェイス吹出口（１００）であり、フェイス吹出口には、空調風の送風方向を変更する風向調整板（１１０）が設けられており、風向調整板によりフェイス吹出口から吹出される空調風の吹出し方向が天井送風装置の吸込口へ向いている。
【手続補正書】
【提出日】令和3年10月19日(2021.10.19)
【手続補正１】
【補正対象書類名】特許請求の範囲
【補正対象項目名】請求項１
【補正方法】変更
【補正の内容】
【請求項１】
搬送コンベヤから移載ロボットのハンドリング部で挟んで取り上げた物品を、ハンドリング部を動作して搬送コンベヤで搬送されている別の物品の上方に位置付けた後に、該取り上げた物品をハンドリング部から解放して段積みすると共に、段積み状態の物品をハンドリング部で挟んで搬送コンベヤから取り上げる段積み・取上げ処理を、ハンドリング部で取り上げた物品の段積み数が所定個数となるまで繰り返し、該所定の物品が段積み状態で集合された集合品を、ハンドリング部を動作して移載先に移載するようにした
ことを特徴とする物品移載方法。
【手続補正２】
【補正対象書類名】明細書
【補正対象項目名】０００７
【補正方法】変更
【補正の内容】
【０００７】
本願の請求項１に係る発明の物品移載方法は、
搬送コンベヤ(10)から移載ロボット(12)のハンドリング部(16)で挟んで取り上げた物品(10)を、ハンドリング部(16)を動作して搬送コンベヤ(10)で搬送されている別の物品(10)の上方に位置付けた後に、該取り上げた物品(10)をハンドリング部(16)から解放して段積みすると共に、段積み状態の物品(10)をハンドリング部(16)で挟んで搬送コンベヤ(10)から取り上げる段積み・取上げ処理を、ハンドリング部(16)で取り上げた物品(10)の段積み数が所定個数となるまで繰り返し、該所定の物品(10)が段積み状態で集合された集合品(W)を、ハンドリング部(16)を動作して移載先(13)に移載するようにしたことを特徴とする。
【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
（ａ）［１８Ｆ］フッ化物イオンを含有する１８Ｏ濃縮水から［１８Ｆ］フッ化物イオンを分離する工程と、
（ｂ）前記１８Ｏ濃縮水から分離された［１８Ｆ］フッ化物イオンを用いて、１，３，４，６−テトラ−Ｏ−アセチル−２−Ｏ−トリフルオロメタンスルホニル−β−Ｄ−マンノピラノース（ＴＡＴＭ）の放射性フッ素化反応を実行して、１，３，４，６−テトラ−Ｏ−アセチル−２−Ｏ−［１８Ｆ］フルオロ−２−デオキシグルコース（１８Ｆ−ＴＡＦＤＧ）を得る工程と、
（ｃ）前記１８Ｆ−ＴＡＦＤＧの加水分解反応を実行して２−［１８Ｆ］フルオロ−２−デオキシ−Ｄ−グルコース（１８Ｆ−ＦＤＧ）を得る脱保護工程と、
を含み、
前記工程（ａ）乃至前記工程（ｃ）をこの順で実行し、
前記工程（ａ）が、炭酸カリウム及び相関移動触媒を用いて［１８Ｆ］フッ化物イオンを活性化することを含み、前記工程（ａ）の開始時において、３００ＧＢｑ以上の［１８Ｆ］フッ化物イオンを使用し、工程（ａ）の開始時における［１８Ｆ］フッ化物イオン１ＧＢｑあたり、前記ＴＡＴＭを４０μｇ以上、前記炭酸カリウムを４〜２０μｇ、前記相関移動触媒を３０〜１５０μｇ使用し、かつ、前記相関移動触媒の炭酸カリウムに対するモル比が、相関移動触媒／炭酸カリウム＝１．５〜４である、１８Ｆ−ＦＤＧの製造方法。
【請求項２】
前記工程（ａ）が、
（ａ−１）［１８Ｆ］フッ化物イオンを含有する１８Ｏ濃縮水を陰イオン交換樹脂と接触させて、前記陰イオン交換樹脂に［１８Ｆ］フッ化物イオンを吸着させる工程と、
（ａ−２）前記炭酸カリウムを含む水溶液を前記陰イオン交換樹脂に接触させて、前記［１８Ｆ］フッ化物イオンの水溶液を溶出させる工程と、
（ａ−３）溶出した前記［１８Ｆ］フッ化物イオンの水溶液を、前記相関移動触媒及び水溶性有機溶剤の存在下に加熱し、水及び前記水溶性有機溶剤を蒸発させる工程と、
を含む、請求項１に記載の１８Ｆ−ＦＤＧの製造方法。
【請求項３】
前記相関移動触媒がクリプタンドである、請求項２に記載の１８Ｆ−ＦＤＧの製造方法。
【請求項４】
前記水溶性有機溶剤がアセトニトリルである、請求項２又は３に記載の１８Ｆ−ＦＤＧの製造方法。
【請求項５】
前記工程（ａ）の開始時において、６００〜１０００ＧＢｑの［１８Ｆ］フッ化物イオンを使用する、請求項１乃至４いずれか一項に記載の１８Ｆ−ＦＤＧの製造方法。
【請求項６】
工程（ａ）の開始時における［１８Ｆ］フッ化物イオン１ＧＢｑあたり、前記ＴＡＴＭを４０〜１５０μｇ使用する、請求項１乃至５いずれか一項に記載の１８Ｆ−ＦＤＧの製造方法。
【請求項７】
前記工程（ｂ）における放射性フッ素化反応の反応時間が１．５〜７分である、請求項１乃至６いずれか一項に記載の１８Ｆ−ＦＤＧの製造方法。
【請求項８】
前記工程（ｂ）の前記放射性フッ素化反応は、アセトニトリル中で前記ＴＡＴＭの［１８Ｆ］フッ素化を行うものである、請求項１乃至７いずれか一項に記載の１８Ｆ−ＦＤＧの製造方法。
【請求項９】
前記工程（ｃ）の前記加水分解反応は、酸加水分解反応である、請求項１乃至８いずれか一項に記載の１８Ｆ−ＦＤＧの製造方法。
【請求項１０】
前記工程（ｃ）の前記加水分解反応は、塩酸存在下に実行されるものである、請求項９に記載の１８Ｆ−ＦＤＧの製造方法。
【請求項１１】
前記工程（ｃ）の前記加水分解反応は、反応時間が６〜１５分である、請求項１０に記載の１８Ｆ−ＦＤＧの製造方法。
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
アニオン系界面活性剤、両性界面活性剤、ノニオン系界面活性剤、カチオン化キトサン、HLB値が1〜19のショ糖脂肪酸エステルから選ばれる少なくともいずれか１つの成分を含む水溶液中における、ヒアルロン酸とキサンタンガムとの構成重量割合が1：1±0.5の複合体に直径1nm以上の銀の析出粒子が分散状態で付着した抗菌物質の抗菌成分としての使用。
【請求項２】
アニオン系界面活性剤、両性界面活性剤、ノニオン系界面活性剤、カチオン化キトサン、HLB値が1〜19のショ糖脂肪酸エステルから選ばれる少なくともいずれか１つの成分を含む水性液状化粧料中における、ヒアルロン酸とキサンタンガムとの構成重量割合が1：1±0.5の複合体に直径1nm以上の銀の析出粒子が分散状態で付着した抗菌物質の抗菌成分としての使用。
【請求項３】
ヒアルロン酸とキサンタンガムとの構成重量割合が1：1±0.5の複合体に直径1nm以上の銀の析出粒子が分散状態で付着した抗菌物質の食品中における抗菌成分としての使用。
【手続補正２】
【補正対象書類名】明細書
【補正対象項目名】発明の名称
【補正方法】変更
【補正の内容】
【発明の名称】抗菌物質の使用方法
【手続補正３】
【補正対象書類名】明細書
【補正対象項目名】００１０
【補正方法】変更
【補正の内容】
【００１０】
本発明は、斯かる事情に鑑みてなされたものであって、上記従来の銀溶液と大根発酵液とを混合してなる抗菌剤に比して安定性が高く、しかも、種々の液体である抗菌対象物に使用可能な抗菌物質の抗菌成分としての使用方法を提供する。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
上記従来の課題を解決するために、本発明では、（１）アニオン系界面活性剤、両性界面活性剤、ノニオン系界面活性剤、カチオン化キトサン、HLB値が1〜19のショ糖脂肪酸エステルから選ばれる少なくともいずれか１つの成分を含む水溶液中にて、ヒアルロン酸とキサンタンガムとの構成重量割合が1：1±0.5の複合体に直径1nm以上の銀の析出粒子が分散状態で付着した抗菌物質を抗菌成分として使用することとした。
【手続補正６】
【補正対象書類名】明細書
【補正対象項目名】００１３
【補正方法】変更
【補正の内容】
【００１３】
また、本発明では、（２）アニオン系界面活性剤、両性界面活性剤、ノニオン系界面活性剤、カチオン化キトサン、HLB値が1〜19のショ糖脂肪酸エステルから選ばれる少なくともいずれか１つの成分を含む水性液状化粧料中にて、ヒアルロン酸とキサンタンガムとの構成重量割合が1：1±0.5の複合体に直径1nm以上の銀の析出粒子が分散状態で付着した抗菌物質を抗菌成分として使用することとした。
【手続補正７】
【補正対象書類名】明細書
【補正対象項目名】００１４
【補正方法】変更
【補正の内容】
【００１４】
また、本発明では、（３）ヒアルロン酸とキサンタンガムとの構成重量割合が1：1±0.5の複合体に直径1nm以上の銀の析出粒子が分散状態で付着した抗菌物質を食品中にて抗菌成分として使用することとした。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
本発明に係る抗菌物質の抗菌成分としての使用方法によれば、従来の銀溶液と大根発酵液とを混合してなる抗菌剤に比して安定性が高く、しかも、種々の液体である抗菌対象物に使用可能な抗菌物質の抗菌成分としての使用方法を提供することができる。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
走行機体（２）と、
該走行機体（２）の前部に昇降可能に連結され且つ穀稈を刈取って後方に搬送する刈取部（３）とを備え、
前記走行機体（２）は、該刈取部（３）により刈取られた刈取穀稈を脱穀する脱穀装置（４）を有し、
前記刈取部（３）は、穀稈を後方に掻込むリール（１３）と、該リール（１３）の後ろ側に配置され且つ穀稈を刈取る刈刃（１６Ａ）と、該刈刃（１６Ａ）によって刈取られた刈取穀稈を脱穀装置（４）に向けて後方搬送するフィーダ（９）と、平面視で刈刃（１６Ａ）の後方に配置され且つ刈取穀稈をフィーダ（９）に送る掻込オーガ（１４）とを有し、
前記掻込オーガ（１４）の前方側には、穀稈を倒伏させる倒伏手段（２１）を配置した
ことを特徴とする汎用コンバイン。
【請求項２】
前記倒伏手段（２１）は、前記刈刃（１６Ａ）の前側に配置した
請求項１に記載の汎用コンバイン。
【請求項３】
前記倒伏手段（２１）は、穀稈の下部側を保持するとともに、該穀稈の保持位置よりも上方側を左右方向に押倒すことによって、穀稈を倒伏させるように構成された
請求項１に記載の汎用コンバイン。
【請求項４】
前記倒伏手段（２１）は、前記刈取部（３）の左右内側に向けて穀稈を倒伏させるように構成された
請求項１に記載の汎用コンバイン。
【手続補正２】
【補正対象書類名】明細書
【補正対象項目名】０００７
【補正方法】変更
【補正の内容】
【０００７】
上記課題を解決するため、本発明は、第１に、走行機体２と、該走行機体２の前部に昇降可能に連結され且つ穀稈を刈取って後方に搬送する刈取部３とを備え、前記走行機体２は、該刈取部３により刈取られた刈取穀稈を脱穀する脱穀装置４を有し、前記刈取部３は、穀稈を後方に掻込むリール１３と、該リール１３の後ろ側に配置され且つ穀稈を刈取る刈刃１６Ａと、該刈刃１６Ａによって刈取られた刈取穀稈を脱穀装置４に向けて後方搬送するフィーダ９と、平面視で刈刃１６Ａの後方に配置され且つ刈取穀稈をフィーダ９に送る掻込オーガ１４とを有し、前記掻込オーガ１４の前方側には、穀稈を倒伏させる倒伏手段２１を配置したことを特徴としている。
【手続補正３】
【補正対象書類名】明細書
【補正対象項目名】００１１
【補正方法】変更
【補正の内容】
【００１１】
前記倒伏手段によれば、圃場の穀稈を倒伏させた状態で刈取ることができるため、刈取穀稈が前記掻込オーガに寄りかかることによって、掻込オーガが空回りして刈取穀稈の後方搬送が滞る事態を回避することができる。これにより、刈取穀稈の後方搬送がスムーズになり、刈取作業の効率も向上する。
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
ヘッドマウントデバイスを備えたシステムにおける情報処理方法であって、
仮想空間を定義する仮想空間データを生成するステップと、
前記ヘッドマウントデバイスの動きおよび前記仮想空間データに基づいて、前記ヘッドマウントデバイスに表示される視野画像を示す視野画像データを生成するステップと、
前記ヘッドマウントデバイスを装着したユーザの行動を特定するステップと、
特定された前記行動が予め定められた第一条件を満たした場合には、前記ヘッドマウントデバイスの向きに応じた前記仮想空間における第一領域の評価値を更新するステップと、
前記評価値に基づいて、前記第一領域に関する映像を生成するステップと、
を含む、情報処理方法。
【請求項２】
前記行動が第二条件を満たした場合には、前記評価値をさらに更新するステップを、さらに含む、請求項１に記載の情報処理方法。
【請求項３】
前記第二条件は、前記仮想空間内において複数のユーザ間で会話およびジェスチャの少なくとも一方がなされたことを含む、請求項２に記載の情報処理方法。
【請求項４】
前記会話は、前記第一領域を指す言語的表現を含む、請求項３に記載の情報処理方法。
【請求項５】
前記会話は、前記第一条件を満たした時刻を指す時制的表現を含む、請求項３または４に記載の情報処理方法。
【請求項６】
前記第二条件は、前記ユーザが前記仮想空間において前記第一領域を写真撮影することを含む、請求項２から５のいずれか一項に記載の情報処理方法。
【請求項７】
前記第二条件は、前記ユーザが前記仮想空間において前記第一領域を撮影した写真をソーシャルネットワーキングサイトへ投稿する行動を含む、請求項６に記載の情報処理方法。
【請求項８】
前記評価値が第三条件を満たした場合には、前記第一条件を満たした時刻における前記第一領域を注目領域として指定するステップと、
前記時刻を含む第一時間幅に亘って、前記注目領域に関する映像を生成するステップと、
をさらに含む、請求項１から７のいずれか一項に記載の情報処理方法。
【請求項９】
前記映像は、前記注目領域の前記仮想空間における位置と、前記ヘッドマウントデバイスの動きに基づいて前記視野画像を定義するために前記仮想空間に配置された仮想カメラとに基づいて生成される、請求項８に記載の情報処理方法。
【請求項１０】
ヘッドマウントデバイスを備えたシステムにおける情報処理方法であって、
仮想空間を定義する仮想空間データを生成するステップと、
前記ヘッドマウントデバイスの動きおよび前記仮想空間データに基づいて、前記ヘッドマウントデバイスに表示される視野画像を示す視野画像データを生成するステップと、
前記ヘッドマウントデバイスを装着したユーザの感情を特定するステップと、
特定された前記感情が予め定められた第二条件を満たした場合には、前記ヘッドマウントデバイスの向きに応じた前記仮想空間における第一領域の評価値を更新するステップと、
前記評価値に基づいて、前記第一領域に関する映像を生成するステップと、
を含む、情報処理方法。
【請求項１１】
請求項１から１０のいずれか一項に記載の情報処理方法をコンピュータに実行させるための情報処理プログラム。
【請求項１２】
ヘッドマウントデバイスと、前記ヘッドマウントデバイスと通信可能に接続されて、請
求項１から１０のうちいずれか一項に記載の情報処理方法を実行する情報処理装置と、を
備えた、情報処理システム。
【請求項１３】
プロセッサと、
コンピュータ可読命令を記憶するメモリと、を備えた情報処理装置であって、
前記コンピュータ可読命令が前記プロセッサにより実行されると、前記情報処理装置は請求項１から１０のうちいずれか一項に記載の情報処理方法を実行する、情報処理装置。
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
入力画像に仮想光源の効果を付加する前に、前記入力画像に含まれる所定の被写体における第１の仮想光源の反射特性を示す第１の反射特性データと、前記所定の被写体における第２の仮想光源の反射特性を示す第２の反射特性データとを合成する合成処理を行うことにより、合成反射特性データを取得する合成手段と、
前記合成処理により得られた前記合成反射特性データが示す反射特性に基づいて、前記入力画像に含まれる被写体における反射成分を生成する生成手段と、
前記入力画像に対して、前記生成手段により生成された前記反射成分を付加する付加手段と、
を備えることを特徴とする画像処理装置。
【請求項２】
前記合成手段は、複数の反射特性データの中から前記第１の反射特性データ及び前記第２の反射特性データを選択する
ことを特徴とする請求項１に記載の画像処理装置。
【請求項３】
補正モードを決定する決定手段を更に備え、
前記合成手段は、前記補正モードに基づいて前記第１の反射特性データ及び前記第２の反射特性データを選択する
ことを特徴とする請求項２に記載の画像処理装置。
【請求項４】
前記決定手段は、前記入力画像に含まれる前記被写体の輝度に基づいて前記補正モードを決定する
ことを特徴とする請求項３に記載の画像処理装置。
【請求項５】
前記合成手段は、ユーザ指示に従って前記第１の反射特性データ及び前記第２の反射特性データを選択する
ことを特徴とする請求項２に記載の画像処理装置。
【請求項６】
前記合成手段は、前記合成処理において、前記第１の反射特性データに第１の係数を乗じ、前記第２の反射特性データに第２の係数を乗じる
ことを特徴とする請求項１乃至５のいずれか１項に記載の画像処理装置。
【請求項７】
前記合成手段は、前記入力画像に含まれる前記被写体の輝度に基づいて前記第１の係数及び前記第２の係数を決定する
ことを特徴とする請求項６に記載の画像処理装置。
【請求項８】
前記所定の被写体と前記入力画像に含まれる前記被写体との形状の相違を補償するように前記合成反射特性データを補正する補正手段を更に備え、
前記生成手段は、前記補正がなされた前記合成反射特性データに基づいて前記反射成分を生成する
ことを特徴とする請求項１乃至７のいずれか１項に記載の画像処理装置。
【請求項９】
前記合成反射特性データは、前記所定の被写体の各位置における反射特性を表現する反射特性画像を含み、
前記補正手段は、前記所定の被写体と前記入力画像に含まれる前記被写体との形状の相違を補償するように、前記反射特性画像を幾何学変換する
ことを特徴とする請求項８に記載の画像処理装置。
【請求項１０】
前記補正手段は更に、前記入力画像に基づいて前記反射特性画像に対して平滑化処理を行う
ことを特徴とする請求項９に記載の画像処理装置。
【請求項１１】
請求項１乃至１０のいずれか１項に記載の画像処理装置と、
前記入力画像を生成する撮像手段と、
を備えることを特徴とする撮像装置。
【請求項１２】
画像処理装置が実行する画像処理方法であって、
入力画像に仮想光源の効果を付加する前に、前記入力画像に含まれる所定の被写体における第１の仮想光源の反射特性を示す第１の反射特性データと、前記所定の被写体における第２の仮想光源の反射特性を示す第２の反射特性データとを合成する合成処理を行うことにより、合成反射特性データを取得する合成工程と、
前記合成処理により得られた前記合成反射特性データが示す反射特性に基づいて、前記入力画像に含まれる被写体における反射成分を生成する生成工程と、
前記入力画像に対して、前記生成工程により生成された前記反射成分を付加する付加工程と、
を備えることを特徴とする画像処理方法。
【請求項１３】
コンピュータを、請求項１乃至１０のいずれか１項に記載の画像処理装置の各手段として機能させるためのプログラム。
【手続補正２】
【補正対象書類名】明細書
【補正対象項目名】０００７
【補正方法】変更
【補正の内容】
【０００７】
上記課題を解決するために、本発明は、入力画像に仮想光源の効果を付加する前に、前記入力画像に含まれる所定の被写体における第１の仮想光源の反射特性を示す第１の反射特性データと、前記所定の被写体における第２の仮想光源の反射特性を示す第２の反射特性データとを合成する合成処理を行うことにより、合成反射特性データを取得する合成手段と、前記合成処理により得られた前記合成反射特性データが示す反射特性に基づいて、前記入力画像に含まれる被写体における反射成分を生成する生成手段と、前記入力画像に対して、前記生成手段により生成された前記反射成分を付加する付加手段と、を備えることを特徴とする画像処理装置を提供する。
【手続補正書】
【提出日】令和3年9月29日(2021.9.29)
【手続補正１】
【補正対象書類名】特許請求の範囲
【補正対象項目名】全文
【補正方法】変更
【補正の内容】
【特許請求の範囲】
【請求項１】
訓練データの効率的な収集を促進するためのコンピュータ実施方法であって、
記録デバイスによって、３次元（３Ｄ）世界座標フレームに関連している場面にある物理オブジェクトの第１の画像を取得することと、
前記記録デバイスのユーザによって、前記第１の画像上において、前記物理オブジェクトに関連した複数の頂点に印を付けることであって、頂点が、前記３Ｄ世界座標フレームに基づく３Ｄ座標を有する、印を付けることと、
前記記録デバイスによって、前記場面の１つ以上の特性を変更しながら、前記場面にある前記物理オブジェクトの複数の第２の画像を取得することと、
前記物理オブジェクトに関連した前記印付きの複数の頂点を前記それぞれの第２の画像上に投射し、
前記物理オブジェクトに関連し、前記印付きの頂点を含む２次元（２Ｄ）境界エリアを前記ディスプレイに示すこと、
によって、前記場面にある前記物理オブジェクトのそれぞれの第２の画像を前記記録デバイスのディスプレイに表示することと、
訓練データ集合に前記印付きの複数の頂点を有する前記第１の画像及び前記投射された印付きの頂点を有する前記複数の第２の画像を格納することと、
前記訓練データ集合に基づいて、畳み込みニューラルネットワークを訓練して前記物理オブジェクトの特徴を特定することと、
を含む、コンピュータ実施方法。
【請求項２】
前記印付きの複数の頂点が、前記物理オブジェクト上の１つ以上の関心領域に対応し、
前記印付きの頂点を投射することが、前記物理オブジェクト上に、前記１つ以上の関心領域に関連した２Ｄ境界エリアを示すことをさらに含む、請求項１に記載の方法。
【請求項３】
前記印付きの複数の頂点が、
ポリゴンと、
表平面の一部と、
ボリュームと、のうちの１つ以上を示すことができる、請求項１に記載の方法。
【請求項４】
前記複数の頂点に印を付けることが、
前記それぞれの第２の画像上に、前記投射された印付きの頂点の前記２Ｄ境界エリアをどのように示すかを決定することをさらに含む、請求項１に記載の方法。
【請求項５】
前記２Ｄ境界エリア及び前記それぞれの第２の画像が、前記記録デバイスに関連したディスプレイ上に提示され、
前記２Ｄ境界エリアが、２Ｄ形または３Ｄボリュームを示す、請求項１に記載の方法。
【請求項６】
訓練データの効率的な収集を促進するためのコンピュータシステムであって、
プロセッサと、
前記プロセッサによって実行されると、前記プロセッサに、方法を行わせる命令を格納している記憶デバイスであって、前記方法が、
記録デバイスによって、３次元（３Ｄ）世界座標フレームに関連している場面にある物理オブジェクトの第１の画像を取得すること、
前記記録デバイスのユーザによって、前記第１の画像上において、前記物理オブジェクトに関連した複数の頂点に印を付けることであって、頂点が、前記３Ｄ世界座標フレームに基づく３Ｄ座標を有する、印を付けること、
前記記録デバイスによって、前記場面の１つ以上の特性を変更しながら、前記場面にある前記物理オブジェクトの複数の第２の画像を取得すること、及び
前記物理オブジェクトに関連した前記印付きの複数の頂点を前記それぞれの第２の画像上に投射し、
前記物理オブジェクトに関連し、前記印付きの頂点を含む２次元（２Ｄ）境界エリアを前記ディスプレイに示すこと、
によって、前記場面にある前記物理オブジェクトのそれぞれの第２の画像を前記記録デバイスのディスプレイに表示すること、
訓練データ集合に前記印付きの複数の頂点を有する前記第１の画像及び前記投射された印付きの頂点を有する前記複数の第２の画像を格納すること、及び
前記訓練データ集合に基づいて、畳み込みニューラルネットワークを訓練して前記物理オブジェクトの特徴を特定すること、
を含む、記憶デバイスと、を備える、コンピュータシステム。
【請求項７】
前記印付きの複数の頂点が、前記物理オブジェクト上の１つ以上の関心領域に対応し、
前記印付きの頂点を投射することが、前記物理オブジェクト上に、前記１つ以上の関心領域に関連した２Ｄ境界エリアを示すことをさらに含む、請求項６に記載のコンピュータシステム。
【請求項８】
前記印付きの複数の頂点が、
ポリゴンと、
表平面の一部と、
ボリュームと、のうちの１つ以上を示すことができる、請求項６に記載のコンピュータシステム。
【請求項９】
前記複数の頂点に印を付けることが、
前記それぞれの第２の画像上に、前記投射された印付きの頂点の前記２Ｄ境界エリアをどのように示すかを決定することをさらに含む、請求項６に記載のコンピュータシステム。
【請求項１０】
前記２Ｄ境界エリア及び前記それぞれの第２の画像が、前記記録デバイスに関連したディスプレイ上に提示され、
前記２Ｄ境界エリアが、２Ｄ形または３Ｄボリュームを示す、請求項６に記載のコンピュータシステム。
【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
バイノーラル聴覚システムであって、
バイノーラル聴覚機器と、電子モノラル信号受信器と、到来方向推定部と、バイノーラルフィルタを備えており、
前記バイノーラル聴覚機器は、
前記バイノーラル聴覚システムのユーザの第１の耳に装着されるように適用され、第１組のマイクロフォンを収容する第１ハウジングであって、前記第１組のマイクロフォンが、前記第１組のマイクロフォンに到来する音声を、第１組の対応するマイクロフォン出力信号に変換する、第１ハウジングと、
前記バイノーラル聴覚システムの前記ユーザの第２の耳に装着されるように適用され、第２組のマイクロフォンを収容する第２ハウジングであって、前記第２組のマイクロフォンが、前記第２組のマイクロフォンに到来する音声を、第２組の対応するマイクロフォン出力信号に変換する、第２ハウジングと、
第１出力トランスデューサであって、前記バイノーラル聴覚機器着用の際に、前記第１出力トランスデューサに供給される第１トランスデューサオーディオ信号を、前記ユーザの前記第１の耳で人の聴覚系により受信可能な第１音響出力信号に変換する、第１出力トランスデューサと、
第２出力トランスデューサであって、前記バイノーラル聴覚機器着用の際に、前記第２出力トランスデューサに供給される第２トランスデューサオーディオ信号を、前記ユーザの前記第２の耳で人の聴覚系により受信可能な第２音響出力信号に変換する、第２出力トランスデューサと、を有しており、
前記電子モノラル信号受信器は、
モノラル信号送信器から発せられる電子モノラル信号を受信し、
前記電子モノラル信号を復号化し、出力するように適用されており、
前記モノラル信号送信器は、音源から発せられる音声を符号化することにより前記電子モノラル信号を生成し、前記音源は、前記ユーザから離れて位置しており、
前記音源から発せられる前記音声は、前記第１組および前記第２組のマイクロフォン出力信号の少なくとも一部が前記電子モノラル信号に対応するように、前記バイノーラル聴覚システムに伝播し、
前記到来方向推定部は、
前記電子モノラル信号に対応する前記第１組および前記第２組のマイクロフォン出力信号の少なくとも一部を強調するために、
前記第１組のマイクロフォン出力信号の選択されたマイクロフォン出力信号と、前記電子モノラル信号との相互相関をとり、第１組のフィルタリングされたマイクロフォン出力信号を提供することと、
前記第２組のマイクロフォン出力信号の選択されたマイクロフォン出力信号と、前記電子モノラル信号との相互相関をとり、第２組のフィルタリングされたマイクロフォン出力信号を提供することと、
前記第１組および前記第２組のフィルタリングされたマイクロフォン出力信号に基づいて、前記到来方向を推定することと、によって、
前記音源から発せられる前記音声の前記ユーザでの前記到来方向を推定するように適用されており、
前記バイノーラルフィルタは、
前記到来方向に基づく伝達関数により前記電子モノラル信号をフィルタリングすることで、前記第１および前記第２出力トランスデューサにそれぞれ前記第１および前記第２トランスデューサオーディオ信号を提供し、それによって前記ユーザに前記フィルタリングされた電子モノラル信号が前記音源から到来すると聴こえるように知覚させる、ように適用され、
前記到来方向推定部は、さらに
前記第１組のフィルタリングされたマイクロフォン出力信号から選択されたフィルタリングされたマイクロフォン出力信号と、前記第２組のフィルタリングされたマイクロフォン出力信号から選択されたフィルタリングされたマイクロフォン出力信号との相互相関をとり、
前記第１組のフィルタリングされたマイクロフォン出力信号から選択されたフィルタリングされたマイクロフォン出力信号と、前記第２組のフィルタリングされたマイクロフォン出力信号から選択されたフィルタリングされたマイクロフォン出力信号との前記相互相関の結果が最大となる第１の時間遅延を判定し、
両耳間時間差を前記第１の時間遅延として判定するように適用されており、
前記到来方向の推定は、前記両耳間時間差に基づいているバイノーラル聴覚システム。
【請求項２】
前記到来方向推定部は、
前記両耳間時間差と第２の時間遅延の符号に基づいて、前記到来方向を推定し、
前記第１組および前記第２組のフィルタリングされたマイクロフォン出力信号の一方から選択されたフィルタリングされたマイクロフォン信号を相互相関し、
前記相互相関の結果が最大となる前記第２の時間遅延を判定し、前記第２の時間遅延の前記符号に基づいて、前記モノラル信号送信器に関連付けられる前記音源が、前記ユーザの前方に位置するか、前記ユーザの後方に位置するかを判定するように適用される、請求項１に記載のバイノーラル聴覚システム。
【請求項３】
前記第１および前記第２トランスデューサオーディオ信号を提供するために前記到来方向に基づいて伝達関数を用いて前記電子モノラル信号をフィルタリングすることは、
前記推定到来方向に基づいて、互いに位相がシフトしている前記第１および前記第２トランスデューサオーディオ信号、または
前記推定到来方向に基づいて、相互ゲイン差により増幅された前記第１および前記第２トランスデューサオーディオ信号、または
前記推定到来方向に基づいて、互いに位相がシフトしており、相互ゲイン差により増幅された前記第１および前記第２トランスデューサオーディオ信号と、をもたらす、請求項１または２に記載のバイノーラル聴覚システム。
【請求項４】
前記バイノーラルフィルタの前記伝達関数は、頭部伝達関数（Ｈｅａｄ  Ｒｅｌａｔｅｄ  Ｔｒａｎｓｆｅｒ  Ｆｕｎｃｔｉｏｎ）である、請求項３に記載のバイノーラル聴覚システム。
【請求項５】
前記バイノーラルフィルタは、前記電子モノラル信号を複数の周波数チャネルで個別に処理するように適用される、請求項１から４のいずれか一項に記載のバイノーラル聴覚システム。
【請求項６】
前記ユーザの前記頭部に装着されて、ユーザ頭部の動きについての情報を含むトラッキング信号を提供し、前記到来方向推定部に提供するように構成されるヘッドトラッカーをさらに備える、請求項１から５のいずれか一項に記載のバイノーラル聴覚システム。
【請求項７】
前記第１および前記第２聴覚機器は、前記ユーザの聴力損失を補償するように適用される聴力損失プロセッサを備える補聴器である、請求項１から６のいずれか一項に記載のバイノーラル聴覚システム。
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
特定部に対して移動可能な可動部と、
前記可動部に設けられた検出部と、
前記特定部に設けられ、前記可動部が移動したときの前記検出部の検出位置の経路である検出経路上に位置する被検出部と、を備えることを特徴とする遊技機。
【請求項２】
請求項１に記載の遊技機であって、
前記検出部として、
第１の検出部と、
前記第１の検出部とは検出経路が異なる第２の検出部と、を有し、
前記被検出部として、
前記第１の検出部の検出経路上に設けられた第１の被検出部と、
前記第２の検出部の検出経路上に設けられた第２の被検出部と、を有することを特徴とする遊技機。
【請求項３】
請求項２に記載の遊技機であって、
前記可動部は、第１の位置と、第２の位置と、第３の位置と、の３つの位置に少なくとも移動可能であり、
前記検出部の検出状態として、
前記第１の検出部が前記第１の被検出部の検出状態となるとともに、前記第２の検出部が前記第２の被検出部の非検出状態となる第１の検出状態と、
前記第１の検出部が前記第１の被検出部の非検出状態となるとともに、前記第２の検出部が前記第２の被検出部の検出状態となる第２の検出状態と、
前記第１の検出部が前記第１の被検出部の検出状態となるとともに、前記第２の検出部が前記第２の被検出部の検出状態となる第３の検出状態と、
前記第１の検出部が前記第１の被検出部の非検出状態となるとともに、前記第２の検出部が前記第２の被検出部の非検出状態となる第４の検出状態とのうち、少なくとも３つがあり、
前記検出部は、前記可動部が前記第１の位置にあるときと、前記可動部が前記第２の位置にあるときと、前記可動部が前記第３の位置にあるときとで、それぞれ異なる前記検出状態となることを特徴とする遊技機。
【手続補正２】
【補正対象書類名】明細書
【補正対象項目名】０００７
【補正方法】変更
【補正の内容】
【０００７】
本発明に係る遊技機は、
特定部に対して移動可能な可動部と、
前記可動部に設けられた検出部と、
前記特定部に設けられ、前記可動部が移動したときの前記検出部の検出位置の経路である検出経路上に位置する被検出部と、を備えることを特徴とする。
【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
画像表示手段と、
内部抽せん手段と、
リール制御手段と、を備え、
電源断を検出した場合には、電源断時処理を実行し得るよう構成されており、
前記内部抽せん手段の決定結果として所定の結果を決定し、前記複数のリールのうち未だストップスイッチの操作を検出していない残り一つの所定のリールが回転しているときに、当該所定のリールに対応する所定のストップスイッチの操作を所定のタイミングで検出した結果、前記所定の結果に対応する所定図柄組合せが停止すると前記所定図柄組合せに対応する遊技媒体を付与し得るよう構成されており、
前記内部抽せん手段の決定結果として前記所定の結果を決定し、前記複数のリールのうち未だストップスイッチの操作を検出していない残り一つの前記所定のリールが回転しているときに、当該所定のリールに対応する前記所定のストップスイッチの操作を前記所定のタイミングで検出したにもかかわらず、電源断を検出したことにより前記複数のリールが停止した状況において前記所定図柄組合せが停止しなかったときでも、電源復帰後に前記所定図柄組合せに対応する遊技媒体を付与し得るよう構成されており、
前記リール制御手段は、特定のリールを加速させるための加速処理を所定期間に亘って実行し得るよう構成されており、
前記特定のリールを加速させるための加速処理を実行している前記所定期間において電源断を検出し、その後電源復帰すると、当該所定期間の残りの期間で前記特定のリールを加速させるための加速処理を続きから実行し得るよう構成されており、
所定の条件を満たしたときに、遊技者に有利なストップスイッチの操作態様を報知可能な所定の遊技状態を開始可能とし、
特定の条件を満たしたときに、前記所定の遊技状態の終了画像を前記画像表示手段に表示可能とし、
所定のフリーズを実行しているときに、前記所定の遊技状態の終了画像と、遊技者の遊技へののめり込みを防止するための注意喚起に関する画像とが前記画像表示手段に表示されている場合を有する遊技機。
【手続補正２】
【補正対象書類名】明細書
【補正対象項目名】００１８
【補正方法】変更
【補正の内容】
【００１８】
本発明に係る遊技機は、複数のリールと、複数のストップスイッチと、画像表示手段と、内部抽せん手段と、リール制御手段と、を備え、電源断を検出した場合には、電源断時処理を実行し得るよう構成されており、前記内部抽せん手段の決定結果として所定の結果を決定し、前記複数のリールのうち未だストップスイッチの操作を検出していない残り一つの所定のリールが回転しているときに、当該所定のリールに対応する所定のストップスイッチの操作を所定のタイミングで検出した結果、前記所定の結果に対応する所定図柄組合せが停止すると前記所定図柄組合せに対応する遊技媒体を付与し得るよう構成されており、前記内部抽せん手段の決定結果として前記所定の結果を決定し、前記複数のリールのうち未だストップスイッチの操作を検出していない残り一つの前記所定のリールが回転しているときに、当該所定のリールに対応する前記所定のストップスイッチの操作を前記所定のタイミングで検出したにもかかわらず、電源断を検出したことにより前記複数のリールが停止した状況において前記所定図柄組合せが停止しなかったときでも、電源復帰後に前記所定図柄組合せに対応する遊技媒体を付与し得るよう構成されており、前記リール制御手段は、特定のリールを加速させるための加速処理を所定期間に亘って実行し得るよう構成されており、前記特定のリールを加速させるための加速処理を実行している前記所定期間において電源断を検出し、その後電源復帰すると、当該所定期間の残りの期間で前記特定のリールを加速させるための加速処理を続きから実行し得るよう構成されており、所定の条件を満たしたときに、遊技者に有利なストップスイッチの操作態様を報知可能な所定の遊技状態を開始可能とし、特定の条件を満たしたときに、前記所定の遊技状態の終了画像を前記画像表示手段に表示可能とし、所定のフリーズを実行しているときに、前記所定の遊技状態の終了画像と、遊技者の遊技へののめり込みを防止するための注意喚起に関する画像とが前記画像表示手段に表示されている場合を有する。